(57)【要約】      （修正有）【課題】原稿を搬送しながら、イメージセンサ手前に配置した印字部で印字を行い、画像を読み取る画像読取装置において、分離給送動作を繰返し行う際に、印字内容が判読不能になることを防止する。【解決手段】印字部で印字を行う設定と、重送を検知したとき逆搬送し原稿分離処理を再度行う設定の両方が設定された場合、警告する。【選択図】図５
2010056807.tif 000002
【特許請求の範囲】
【請求項１】
複数枚の原稿を載置する原稿給紙台と、
原稿の画像を読み取る画像読取部と、
前記原稿給紙台に積載されている原稿を１枚ずつ分離して前記画像読取部に搬送する搬送手段と、
前記搬送手段により搬送される原稿の異常搬送を検出する異常搬送検出手段と、
前記検出手段で、原稿の異常搬送が検出された場合に、前記搬送手段により原稿を前記原稿給紙台の方向に逆搬送した後、再搬送するよう前記搬送手段を制御する手段と、
前記逆搬送と前記再搬送を行うか否か設定するリトライ設定手段と、
前記異常搬送検出手段と前記画像読取部の上流に配置され、前記搬送手段により搬送される原稿に印字を行う印字手段と、
前記印字手段で印字を行うか否か設定する印字設定手段と、
を具備した画像読取装置において、
前記印字手段で印字を行う設定及び、前記逆搬送と前記再搬送を行う設定の両方がされた場合は、警告を行うことを特徴とする画像読取装置。
【請求項２】
前記印字手段で印字を行う設定と、前記逆搬送と前記再搬送を行う設定がされ、ユーザにより原稿搬送が指示されたときに、警告を行うことを特徴とする請求項１に記載の画像読取装置。
【請求項３】
前記印字手段で印字を行う設定と、前記逆搬送と前記再搬送を行う設定がされ、前記原稿の状態を検出する検出手段で異常が検出されたときに、警告を行うことを特徴とする請求項１又は２に記載の画像読取装置。
【請求項４】
前記印字手段で印字を行う設定と、前記逆搬送と前記再搬送を行う設定がされ、前記原稿の状態を検出する検出手段で異常が検出されたときに、前記逆搬送と前記再搬送を行うとともに、前記再搬送時は前記印字手段での印字を省くことを特徴とする請求項１〜３のいずれか１項に記載の画像読取装置。
【請求項５】
複数枚の原稿を載置する原稿給紙台と、
原稿の画像を読み取る画像読取部と、
前記原稿給紙台に積載されている原稿を１枚ずつ分離して前記画像読取部に搬送する搬送手段と、
前記搬送手段により搬送される原稿の異常搬送を検出する異常搬送検出手段と、
前記検出手段で、原稿の異常搬送が検出された場合に、前記搬送手段により原稿を前記原稿給紙台の方向に逆搬送した後、再搬送するよう前記搬送手段を制御する手段と、
前記異常搬送検出手段と前記画像読取部の上流に配置され、前記搬送手段により搬送される原稿に印字を行う印字手段と、
を具備した画像読取装置を制御する制御方法であって、
前記印字手段で印字を行うか否か設定する印字設定ステップと、
前記逆搬送と前記再搬送を行うか否か設定するリトライ設定ステップと、
前記印字手段で印字を行う設定及び、前記逆搬送と前記再搬送を行う設定の両方がされた場合は、警告を行うステップと、
を有することを特徴とする制御方法。
【請求項６】
複数枚の原稿を載置する原稿給紙台と、
原稿の画像を読み取る画像読取部と、
前記原稿給紙台に積載されている原稿を１枚ずつ分離して前記画像読取部に搬送する搬送手段と、
前記搬送手段により搬送される原稿の異常搬送を検出する異常搬送検出手段と、
前記異常搬送検出手段で、原稿の異常搬送が検出された場合に、前記搬送手段により原稿を前記原稿給紙台の方向に逆搬送した後、再搬送するよう前記搬送手段を制御する手段と、
前記異常搬送検出手段と前記画像読取部の上流に配置され、前記搬送手段により搬送される原稿に印字を行う印字手段と、
を具備した画像読取装置を制御する制御方法をコンピュータに実行させるプログラムであって、
前記印字手段で印字を行うか否か設定する印字設定ステップと、
前記逆搬送と前記再搬送を行うか否か設定するリトライ設定ステップと、
前記印字手段で印字を行う設定及び、前記逆搬送と前記再搬送を行う設定の両方がされた場合は、警告を行うステップと、
を有することを特徴とする制御方法をコンピュータに実行させるプログラム。
【発明の詳細な説明】
【技術分野】
【０００１】
本発明は、原稿の画像情報を読取る画像読取装置、画像読取方法及び該方法を実行するためのプログラムに関する。
【背景技術】
【０００２】
搬送される原稿の状態を検出し、原稿の重送状態が検出された時に、原稿を原稿給紙台の方向に所定距離だけ逆搬送し、原稿の重送状態が解除されるまで、再び搬送する動作を所定回数繰返すよう制御する画像読取装置については、例えば特許文献１に開示されたものがある。また、画像読取装置の搬送過程で原稿に印字を行うファクシミリやイメージスキャナ等の画像読取装置において、読み取り済みあるいは送信済みであることを確認するために、読み取り後あるいは送信後の原稿にマーキング（済みスタンプ）を付すものや、また、高速に原稿を搬送して大量の原稿を読み取る画像読取装置がある。このような装置を使用して膨大な量の原稿を読み取った場合、入カデータと原稿の照合を行うのに、相当な労力が必要であることから、印字部を画像読取装置に実装し、日付、時間、任意の文字、数字、記号等を原稿に印字するものが提案されている。これらの画像読取装置については、例えば特許文献２に開示されたものがある。
【特許文献１】特開平６−２１９６００号公報
【特許文献２】特開２０００−０６９２４４号公報
【発明の開示】
【発明が解決しようとする課題】
【０００３】
原稿を読み取った日時と時間等の印字が読取画像データに反映されるように、画像読取センサ手前で印字を行う機能を有するスキャナでは、印字部や搬送ローラが配置される給紙口付近にはセンサ類を配置する場所がないことが多い。このような場合、重送検知センサなどの原稿の異常状態を検出するセンサは、給紙口から離れた位置に配置されることが多い。
【０００４】
このような画像読取装置において、たとえば原稿が静電気などで数枚張り付いたまま給紙し、分離給送ローラ対でも分離が出来ずに搬送され、重送検知センサで検知されたときに原稿を給紙口まで戻す機能を作動させると、印字に不具合が生じる。すなわち、給紙口付近に配置された印字部で給紙後すぐに印字する構成であるため、１枚の原稿に対して分離給送動作を繰り返す度に繰り返し印字を行ってしまう。その結果、重複印字による滲みで印字内容が判読不能になる問題が生じていた。
【０００５】
本発明の目的は、画像読取と印字が可能な画像読取装置で分離給送動作を繰り返し行う際に、印字内容が判読不能になることを防止することにある。
【課題を解決するための手段】
【０００６】
上記目的を達成するために、本発明の画像読取装置は、複数枚の原稿を載置する原稿給紙台と、原稿の画像を読み取る画像読取部と、前記原稿給紙台に積載されている原稿を１枚ずつ分離して前記画像読取部に搬送する搬送手段と、前記搬送手段により搬送される原稿の異常搬送を検出する異常搬送検出手段と、前記異常搬送検出手段で、原稿の異常搬送が検出された場合に、前記搬送手段により原稿を前記原稿給紙台の方向に逆搬送した後、再搬送するよう前記搬送手段を制御する手段と、前記逆搬送と前記再搬送を行うか否か設定するリトライ設定手段と、前記異常搬送検出手段と前記画像読取部の上流に配置され、前記搬送手段により搬送される原稿に印字を行う印字手段と、前記印字手段で印字を行うか否か設定する印字設定手段と、を具備し、前記印字手段で印字を行う設定及び、前記逆搬送と前記再搬送を行う設定の両方がされた場合は、警告を行うことを特徴とする。
【０００７】
また、本発明の画像読取装置の制御方法は、複数枚の原稿を載置する原稿給紙台と、原稿の画像を読み取る画像読取部と、前記原稿給紙台に積載されている原稿を１枚ずつ分離して前記画像読取部に搬送する搬送手段と、前記搬送手段により搬送される原稿の異常搬送を検出する異常搬送検出手段と、前記検出手段で、原稿の異常搬送が検出された場合に、前記搬送手段により原稿を前記原稿給紙台の方向に逆搬送した後、再搬送するよう前記搬送手段を制御する手段と、前記異常搬送検出手段と前記画像読取部の上流に配置され、前記搬送手段により搬送される原稿に印字を行う印字手段と、を具備した画像読取装置を制御する制御方法であって、前記印字手段で印字を行うか否か設定する印字設定ステップと、前記逆搬送と前記再搬送を行うか否か設定するリトライ設定ステップと、前記印字手段で印字を行う設定及び、前記逆搬送と前記再搬送を行う設定の両方がされた場合は、警告を行うステップと、を有することを特徴とする。
【０００８】
また、本発明のプログラムは、複数枚の原稿を載置する原稿給紙台と、原稿の画像を読み取る画像読取部と、前記原稿給紙台に積載されている原稿を１枚ずつ分離して前記画像読取部に搬送する搬送手段と、前記搬送手段により搬送される原稿の異常搬送を検出する異常搬送検出手段と、前記異常搬送検出手段で、原稿の異常搬送が検出された場合に、前記搬送手段により原稿を前記原稿給紙台の方向に逆搬送した後、再搬送するよう前記搬送手段を制御する手段と、前記異常搬送検出手段と前記画像読取部の上流に配置され、前記搬送手段により搬送される原稿に印字を行う印字手段と、を具備した画像読取装置を制御する制御方法をコンピュータに実行させるプログラムであって、前記印字手段で印字を行うか否か設定する印字設定ステップと、前記逆搬送と前記再搬送を行うか否か設定するリトライ設定ステップと、前記印字手段で印字を行う設定及び、前記逆搬送と前記再搬送を行う設定の両方がされた場合は、警告を行うステップと、を有することを特徴とする制御方法をコンピュータに実行させることを特徴とする。
【発明の効果】
【０００９】
本発明の画像読取装置によれば、分離搬送のリトライ時の重複印字を防止することが可能になる。
【発明を実施するための最良の形態】
【００１０】
以下、本発明の実施の形態を図面を参照しながら説明する。
【実施例１】
【００１１】
図１は、本発明の第１の実施形態である画像読取装置をホストコンピュータに接続した状態を示す斜視図、図２は、本発明の第１の実施形態である画像読取装置の概略断面図である。
【００１２】
図２に示すように、画像読取装置１は、原稿２１０を積載する原稿台２０１、原稿台２０１に原稿２１０があるか否かを検知する不図示の原稿検知センサ、分離給送ローラ対２０２、印字部２０３、搬送ローラ対２０４〜２０６、表面画像読取部２０７、裏面画像読取部２１２、制御基板２０８、ピックアップローラ２０９、表面原稿通過検知センサ２１１、裏面原稿通過検知センサ２１５、重送検知センサ２１６、原稿排出センサ２１７を備える。
【００１３】
表面画像読取部２０７と原稿の搬送路との間には、コンタクトガラス２１３が配置されている。裏面画像読取部２１２と原稿の搬送路との間には、コンタクトガラス２１４が配置されている。
【００１４】
画像読取装置１は、原稿２１０の異常を検知する重送検知センサ２１６（異常搬送検出手段）と、原稿２１０の画像データを取得する表面画像読取部２０７および裏面画像読取部２１２の上流に、原稿２１０に印字を行う印字部２０３を備えている。
【００１５】
ピックアップローラ２０９で原稿２１０を給紙し、分離給送ローラ対２０２で１枚づつ分離され給送された原稿は、印字を行う印字部２０３に送られる。印字部２０３は、印字位置に搬送された原稿に印字を行う。次に、原稿２１０は表面画像読取部２０７および裏面画像読取部２１２に送られ、原稿２１０の画像情報が読み取られる。原稿２１０は搬送ローラ対２０４により、重送を検知する重送検知センサ２１６の設置位置に搬送される。重送検知センサ２１６により原稿２１０の重送を検知した場合は、搬送方向とは逆に、原稿台２０１に向けて原稿を逆搬送する。原稿２１０を原稿台２０１まで逆搬送したら、再び原稿２１０分離搬送を行う。原稿の重送が解消するまで上述した原稿２１０の分離搬送動作と逆搬送動作を繰り返し行う。原稿２１０の重送が検知されなければ、原稿後端まで画像を読み取って原稿を排出し、所定のタイミングでＵＳＢケーブル３を介してホストコンピュータ２に画像データを送信する。
【００１６】
図１に示すように、ホストコンピュータ２には、スキャンした画像や状況を表示するディスプレイ３０４と、ユーザがスキャンする条件や指示を出すための、キーボード３０２が接続されている。ホストコンピュータ２は、画像読取装置１から転送された画像データを、図４で説明するホストコンピュータ２内のハードディスク３０５に保存する。
【００１７】
図３は、画像読取装置１の制御系を説明するためのブロック図である。画像読取装置１は、装置全体の動作を制御するＣＰＵ２５０と、表面画像読取センサ２５１と裏面画像読取センサ２５２と、ＣＰＵ２５０において実行される制御プログラムを格納するＲＯＭ２５４と、ワークメモリとして機能するＲＡＭ２５３と、ＵＳＢインターフェース２５５と、情報を表示する表示パネル２５７と、操作ボタン２５８と、各処理部を接続するシステムバス２５６とを備える。
【００１８】
ＣＰＵ２５０、ＲＯＭ２５４、ＲＡＭ２５３、表示パネル２５７、操作ボタン２５８およびＵＳＢインターフェース２５５はシステムバス２５６を介して互いに接続されている。また、表面画像読取部２０７に組み込まれた表面画像読取センサ２５１、及び、裏面画像読取部２１２に組み込まれた裏面画像読取センサ２５２は不図示の画像処理部を介してシステムバス２５６に接続されている。
【００１９】
画像読取装置１では、画像スキャン処理を行う前に、原稿の重送状態が検出された時に、原稿を原稿給紙台の方向に所定距離だけ逆搬送し原稿台まで戻し、原稿の重送状態が解消されるまで、分離給送動作のリトライを行う設定を、表示パネル２５７、操作ボタン２５８により行うことが可能になっている。この設定情報は、画像読取装置１の不図示の設定情報記憶用不揮発性メモリに保存される。
【００２０】
図４は、ホストコンピュータ２の内部構成を説明するためのブロック図である。ホストコンピュータ２は、図４に示すように、ＣＰＵ３０１、メモリ３０３、およびハードディスク３０５を備える。また、ホストコンピュータ２は、キーボード３０２、およびディスプレイ３０４を備える。
【００２１】
ＣＰＵ３０１は、画像読取装置１から送られた画像データを、ＵＳＢケーブル３とＵＳＢインターフェース３０７を介して取得する。メモリ３０３は、制御プログラムの記憶や画像データの一時的な記憶を行う。ハードディスク３０５には、画像読取装置１の表面画像読取部２０７と裏面画像読取部２１２で読み取った原稿の画像データが保存される。キーボード３０２は、ユーザにより原稿読み取り条件等を設定するために用いられる。ディスプレイ３０４には、画像読取装置１で原稿を読み取り、得られた画像、およびエラー時の情報、など、原稿画像取得に関して必要な画面が表示される。
【００２２】
図５は、図１に示す画像読取装置１の画像スキャン処理を説明するためのフローチャートである。まず、ＣＰＵ２５０は重送時の逆搬送を行う動作モードが設定されているか、画像読取装置１の不図示の不揮発性メモリから設定情報を読み出し確認する（ステップＳ００１）。ステップＳ００１で、重送時の逆搬送を行う動作モードでないと判断した場合、ステップＳ００４に進む。
【００２３】
もし、重送時の逆搬送を行う動作モードである場合、ＣＰＵ２５０はユーザのスキャン設定を確認し、印字を行うスキャン設定になっているか確認する（ステップＳ００２）。印字を行うスキャン設定になっていない場合は（ステップＳ００２でＮＯ）、ステップＳ００４に進む。印字を伴うスキャンを行う設定になっている場合は、ＣＰＵ２５０はエラーをホストコンピュータ２に送信し、ディスプレイ３０４に図６のエラー画面を表示させる（ステップＳ００３）。これにより重送時の逆搬送を行う動作モードであり、かつ印字を伴うスキャンを行う設定になっていることをユーザに警告して、スキャンを終了する。エラーをホストコンピュータ２に送信せず、表示パネル２５７に表示してもよい。
【００２４】
続いて、ＣＰＵ２５０は不図示の原稿検知センサにより原稿台２０１に原稿２１０があるかどうかを確認し、原稿２１０が無い場合（ステップＳ００４でＮＯ）は、ホストコンピュータ２に原稿なしエラー情報を送信し、ディスプレイ３０４に不図示の原稿なしエラー画面を表示させて（ステップＳ００４ａ）、ユーザにエラー発生を伝え、処理を終了する。原稿２１０が在る場合は、ピックアップローラ２０９および各ローラ対２０２、搬送ローラ対２０４〜２０６は、原稿２１０の搬送を開始する（ステップＳ００５）。
【００２５】
原稿２１０が裏面原稿通過検知センサ２１５を通過中（ステップＳ００６でＹＥＳ）ならば、ステップＳ００７で裏面画像読取部２１２が原稿２１０の画像の読み取りを行う。
【００２６】
また、原稿２１０が表面原稿通過検知センサ２１１を通過中（ステップＳ００８でＹＥＳ）ならば、ステップＳ００９で表面画像読取部２０７が原稿２１０の画像の読み取りを行う。
【００２７】
次に原稿は、重送検知センサ２１６まで搬送され、重送検知センサ２１６は超音波や光を利用して原稿が重送状態かを判定する。ＣＰＵ２５０は重送検知センサ２１６で、原稿の重送を検知した場合（ステップＳ０１０でＹＥＳ）、直ちにスキャン動作は中断し、搬送中の原稿を原稿台に戻す逆搬送を行い（ステップＳ０１１）、再度ステップＳ００４に戻る。
【００２８】
上記ステップＳ００６からステップＳ０１２までの処理は、原稿２１０の後端が原稿排出センサ２１７を通過し終わる（ステップＳ０１２でＹＥＳ）まで繰り返し行われる。
【００２９】
表面画像読取センサ２５１で読み取られた画像データと、裏面画像読取センサ２５２で読み取られた画像データは、不図示の画像処理部でＡ／Ｄ変換等の処理がなされ、システムバス２５６に送出されてＲＡＭ２５３内に表面画像記憶用と裏面画像記憶用としてそれぞれ個別に用意されたメモリ領域に、例えば得られた順に格納される。その後、ＣＰＵ２５０は所定のタイミングでＵＳＢインターフェース２５５およびＵＳＢケーブル３を介してホストコンピュータ２に、それぞれ、ホストコンピュータ２が要求する順で、表面と裏面の画像データを転送する（ステップＳ０１３）。
【００３０】
もし、ステップＳ０１１で逆搬送を行ってもステップＳ００４で原稿有りにならない場合は（ステップＳ００４でＮＯ）、処理を停止し、ホストコンピュータ２に原稿なしエラー情報を送信し、ディスプレイ３０４に不図示の原稿なしエラー画面を表示させて（ステップＳ００４ａ）、ユーザにエラー発生を伝える。
【００３１】
上記の、ステップＳ００１からステップＳ００３までの処理は、ホストコンピュータ２で行ってもよい。
【００３２】
上記の、ステップＳ００１からステップＳ００３までの処理は、ステップＳ００１の設定または、ステップＳ００２の設定がされたときに行ってもよい。上記の、ステップＳ００３は、ステップＳ０１０においてエラーが検知されたときに行ってもよい。
【００３３】
異常搬送は重送の他、原稿詰まり等でもよい。原稿詰まりは裏面原稿通過検知センサ２１５や表面原稿通過検知センサ２１１等の原稿を検知するためのセンサを異常搬送検出手段として利用して検知できる。このとき例えば、原稿通過検知センサに所定のタイミングで原稿が検知されない場合に、原稿詰まりと判定すればよい。
【００３４】
分離搬送のリトライを行うか否かの設定や印字を行うか否かの設定は表示パネルと２５７と操作ボタン２５８で行ってもよいし、ホストコンピュータから行ってもよい。また、その設定情報を不図示の設定情報記憶用不揮発性メモリやＲＡＭ２５７に記憶してもよいし、ホストコンピュータ側の記憶素子や記憶装置に記憶してもよい。
【００３５】
警告は表示部への表示、ＬＥＤの点滅、ホストコンピュータの表示部への表示、警告音の発生等のいずれでもよい。
【００３６】
ホストコンピュータで上記の設定、設定情報の記憶、分離搬送のリトライを行う設定と印字を行う設定の重複の判断、ホストコンピュータの表示部への警告表示、ホストコンピュータの警告音の発生の少なくとも１つを行う場合は、画像読取装置とホストコンピュータを接続した画像読取システムが、本発明の画像読取装置に相当する。
【００３７】
また、本発明の目的は、上述した実施の形態の機能を実現するソフトウェアのプログラムを記憶した記憶媒体を画像処読取装置に供給し、その画像処理装置のコンピュータ（又はＣＰＵやＭＰＵ等）が記憶媒体に格納されたプログラムコードを読出して実行することによって、達成することもできる。
【００３８】
この場合、記憶媒体から読出されたプログラムコード自体が上述した実施の形態の機能を実現することとなり、そのプログラムコード及び該プログラムコードを記憶した記憶媒体は本発明を構成する。
【００３９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００４０】
コンピュータから読出されたプログラムコードを実行することにより、上述した実施の形態の機能が実現されるだけでなく、そのプログラムコードの指示に基づき、コンピュータ上で稼動するＯＳ（オペレーティングシステム）等が実際の処理の一部又は全部を行い、その処理によって前述した実施形態の機能が実現される場合も含まれることは言うまでもない。
【００４１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれる。
【図面の簡単な説明】
【００４２】
【図１】画像読取装置を含む画像読取システムの全体図
【図２】画像読取装置の概略断面図
【図３】画像読取装置のブロック図
【図４】ホストコンピュータの内部構成を説明するためのブロック図
【図５】画像スキャン処理を説明するためのフローチャート
【図６】スキャンエラー表示画面
【符号の説明】
【００４３】
１  画像読取装置
２  ホストコンピュータ
３  ＵＳＢケーブル
２０１  原稿台
２０２  分離給送ローラ対
２０３  印字部
２０４  搬送ローラ対
２０５  搬送ローラ対
２０６  搬送ローラ対
２０７  表面画像読取部
２０８  スキャナ基板
２０９  ピックアップローラ
２１０  原稿
２１１  表面原稿通過検知センサ
２１２  裏面画像読取部
２１３  コンタクトガラス
２１４  コンタクトガラス
２１５  裏面原稿通過検知センサ
２１６  重送検知センサ
２１７  原稿排出センサ
２５０  ＣＰＵ
２５１  表面画像読取センサ
２５２  裏面画像読取センサ
２５３  ＲＡＭ
２５４  ＲＯＭ
２５５  ＵＳＢインターフェース
２５６  システムバス
２５７  表示パネル
２５８  操作ボタン
３０１  ＣＰＵ
３０２  キーボード
３０３  メモリ
３０４  ディスプレイ
３０５  ハードディスク
３０７  ＵＳＢインターフェース
【図１】
2010056807.tif 000003
【図２】
2010056807.tif 000004
【図３】
2010056807.tif 000005
【図４】
2010056807.tif 000006
【図５】
2010056807.tif 000007
【図６】
2010056807.tif 000008